(57)【要約】　　　（修正有）【課題】ケーブル敷設コストを大幅に削減できるケーブル防護カバーを得る。【解決手段】ポリオレフィン系樹脂製のフィルムチューブをケーブル防護カバー１とした。【効果】ポリオレフィン系樹脂は化学的に安定で耐薬品性に優れるので、ポリオレフィン系樹脂製のフィルムチューブからなるケーブル防護カバーでも、ケーブルを発泡充填材から十分に防護することができ、しかもポリオレフィン系樹脂製のフィルムチューブはＣＤ管等よりも大幅に製造コストが低いので、低コストのケーブル防護カバーになる。【選択図】　　図１
0003098336.tif 000002
【実用新案登録請求の範囲】
【請求項１】
ポリオレフィン系樹脂製のフィルムチューブからなるケーブル防護カバー。
【請求項２】
ポリオレフィン系樹脂製のフィルムチューブをロール体に形成し、このロール体を、上面に取出口を設けた箱に引き出し可能に収納したケーブル防護カバー。
【請求項３】
上記取出口の周囲に切り込みを形成したことを特徴とする請求項２に記載のケーブル防護カバー。
【請求項４】
上記ポリオレフィン系樹脂としてポリエチレンを用いたことを特徴とする請求項１から３のいずれかに記載のケーブル防護カバー。
【考案の詳細な説明】
【０００１】
【考案の属する技術分野】
この考案は、特に、発泡充填材を吹き付ける壁に敷設される樹脂被覆ケーブルの防護に好適なケーブル防護カバーに関する。
【０００２】
【従来の技術】
住宅等の壁内に屋内配線のケーブルを敷設する場合、ＩＶ線、アース線といった絶縁電線などは配管内に収容することが法律上義務付けられているが、法律の対象外のケーブルは、配管内に収容することなく敷設することができる。
【０００３】
ところが、住宅等の壁に結露が生じるのを防ぐため、壁内に断熱材として発泡充填材、例えば、発泡ウレタンを吹き付けることが広く行われており、剥き出しのケーブルに直接発泡ウレタンが吹き付けられてしまうと、ケーブルの樹脂被覆が発泡ウレタンの有機溶剤に浸食され、劣化することがある。
【０００４】
このため、従来、図４のように、発泡ウレタンＵを吹き付ける壁ＷにケーブルＣを敷設する際に、ケーブルＣを発泡ウレタンＵによる浸食から防護するために、樹脂管、例えば、ＣＤ管４１にケーブルＣを収容し、ケーブルＣが発泡ウレタンＵと接触しないようにすることも行われている。
【０００５】
しかしながら、発泡ウレタンＵによる浸食からケーブルＣを防護することのみを目的としてＣＤ管４１を用いることは、ケーブル敷設コストの増大に繋がるという問題があった。
【０００６】
また、壁内を上下に配線する際に、桟木を貫通してケーブルＣを敷設しなければならない場合、桟木には、住居完成後に居住者がネジや釘を打ち込む可能性があるので、鋼板や鋼管状の保護金具でケーブルＣを保護する施工が行われている。加えて、内線規定等で、ＣＤ管４１にケーブルＣを収容する場合には、ケーブルＣの断面積の２．５倍程度の内断面積のＣＤ管４１を使用することが規定されている。したがって、保護金具を桟木に取り付ける際には、桟木にＣＤ管４１より大きな貫通孔を開けてＣＤ管４１を覆うように保護金具を取り付ける必要がある。このように大きな貫通孔は桟木の強度を低下させるので、桟木に補強プレートの取り付けを要求され、ケーブル敷設コストの増大に繋がるという問題があった。
【０００７】
さらに、壁Ｗに沿ってＣＤ管４１を固定するにはサドル留具４２を用いる必要があり、中継ボックス４３にもＣＤ管用のコネクター部４３ａを設ける必要があるなど、ケーブルＣを敷設するための周辺器具が複雑になるので、周辺器具のコスト高に繋がるという問題があった。
【０００８】
【考案が解決しようとする課題】
そこで、この考案の課題は、ケーブル敷設コストを大幅に削減できるケーブル防護カバーを得ることにある。
【０００９】
【課題を解決するための手段】
上記課題を解決するために、この考案は、ポリオレフィン系樹脂製のフィルムチューブをケーブル防護カバーとしたのである。
【００１０】
ポリオレフィン系樹脂は化学的に安定で耐薬品性に優れるので、ポリオレフィン系樹脂製のフィルムチューブからなるケーブル防護カバーでも、ケーブルを発泡充填材から十分に防護することができ、しかもポリオレフィン系樹脂製のフィルムチューブはＣＤ管等よりも大幅に製造コストが低いので、低コストのケーブル防護カバーになる。
【００１１】
また、桟木を貫通してケーブルを敷設する際には、ケーブルを通したフィルムチューブをケーブルの周囲に巻きつけるように束ねることができるので、桟木に設ける貫通孔の径を、ケーブルの挿通が可能な最小限の径の保護金具に合わせて小さくでき、桟木に取り付ける補強プレートを簡略化することができる。
【００１２】
さらに、壁に沿ってケーブル防護カバーを固定する際は、ガムテープだけで固定することができ、また、中継ボックスにもコネクター部を設ける必要がないなど、ケーブルを敷設するための周辺器具を簡略化できるので、コストを削減できる。
【００１３】
上記に述べたように、ポリオレフィン系樹脂製のフィルムチューブからなるケーブル防護カバーを用いると、ケーブル敷設コストを大幅に削減できる。また、ＣＤ管に比べてはるかに軽く、容積も少ないので、持ち運びや施工が楽になる。
【００１４】
また、ケーブル防護カバーを構成するフィルムチューブをロール体にして、上面に取出口を設けた箱に収納し、取出口から引き出し可能にしておくと、使用利便性が向上する。
【００１５】
上記取出口の周囲に切り込みを形成し、引き出したフィルムチューブの端部を使用しない時に挟んでおくと、端部が箱内に落ち込むのを防止できると共に、使用時に端部を掴み易くて便利である。
【００１６】
この考案のケーブル防護カバーの一実施形態を図面に基づき説明する。
図１は、この考案のケーブル防護カバーの一実施形態を使用して壁内にケーブルを敷設し、発泡ウレタンを吹き付けた状態を示している。図２は、図１をＩ−Ｉ線で切断し矢印方向から見たものを拡大図示している。図中において、１は、ポリオレフィン系樹脂製のフィルムチューブからなるケーブル防護カバーである。
【００１７】
ポリオレフィン系樹脂として、例えば、ポリエチレン、ポリプロピレンなどを用いることができる。
【００１８】
フィルムチューブは、上記ポリオレフィン系樹脂の押出し成形により形成することができる。
【００１９】
フィルム厚は、例えば、概ね０．１〜０．２ｍｍ程度のものが強度的に好ましい。フィルムチューブの内径は、ケーブル防護カバー１に収容するケーブルＣに応じて任意に定め得るが、例えば、屋内配線に用いるＦケーブルの防護用とする場合には１５〜３０ｍｍが望ましい。
【００２０】
このケーブル防護カバー１を用いて発泡ウレタン等を吹き付ける壁ＷにケーブルＣを敷設する場合、ケーブル防護カバー１は、フィルムチューブによって形成されているため、壁Ｗに向けて発泡ウレタンＵを吹き付ける前に、図１の如く壁Ｗにガムテープ２で容易に固定しておくことができる。
【００２１】
図３は、この考案のケーブル保護カバーの他の実施形態を全体斜視図で示している。図中において、１０は、上記ケーブル防護カバー１を構成するフィルムチューブをロール体１１に形成し、上面１２ａの上記ロール体１１の巻取り中心１１ａと対向する位置に取出口１３を設け、該取出口１３の周囲に切り込み１４を形成した箱１２に収納したケーブル防護カバーである。このケーブル防護カバー１０は、巻取り中心１１ａが取出口１３の直下にあるので、容易にフィルムチューブの端部を引き出すことができる。
【００２２】
このように、ケーブル防護カバー１を構成するフィルムチューブをロール体１１にして、上面１２ａに取出口１３を設けた箱１２に収納し、取出口１３から引き出し可能にしておくと、使用利便性が向上する。
また、上記取出口１３の周囲に切り込み１４を形成し、引き出したフィルムチューブの端部を使用しない時に挟んでおくと、端部が箱内に落ち込むのを防止できると共に、使用時に端部を掴み易くて便利である。
【００２３】
【考案の効果】
上記のように、この考案のケーブル防護カバーを用いると、低コストのケーブル防護カバーとなり、しかもケーブル敷設に伴う周辺器具のコストを削減できるので、ケーブル敷設コストを大幅に削減できる。
さらに、ＣＤ管に比べてはるかに軽く、容積も少ないので、この考案のケーブル防護カバーを用いると、ケーブル防護カバーの持ち運びや施工が楽になる。
また、ケーブル防護カバーを構成するフィルムチューブをロール体にして、上面に取出口を設けた箱に収納し、取出口から引き出し可能にしておくと、ケーブル防護カバーの使用利便性が向上する。
【図面の簡単な説明】
【図１】
この考案のケーブル防護カバーの一実施形態の使用状態を示した図である。
【図２】図１をＩ−Ｉ線で切断し矢印方向から見た拡大断面図である。
【図３】この考案の箱入りケーブル保護カバーの他の実施形態の全体斜視図である。
【図４】従来のＣＤ管の使用状態を示した図である。
【符号の説明】
１　ケーブル防護カバー
２　ガムテープ
１０　箱入りケーブル防護カバー
１１　ロール体
１１ａ　巻取り中心
１２　箱
１２ａ　上面
１３　取出口
１４　切り込み
４１　ＣＤ管
４２　サドル留具
４３　中継ボックス
４３ａ　コネクター部
Ｗ　壁
Ｕ　発泡ウレタン
Ｃ　ケーブル
【図１】
0003098336.tif 000003
【図２】
0003098336.tif 000004
【図３】
0003098336.tif 000005
【図４】
0003098336.tif 000006